(57)【要約】【課題】  流量制御性を向上し、圧力損失を低減する流量制御ダンパを提供する。【解決手段】  ダクトと接続されて流体の流路を形成するケーシングと、前記ケーシングに回動自在に配設され、回動することにより前記流路の開度を可変とする可動羽根であって、流体の流入方向側に凸に湾曲した湾曲面部を有する可動羽根と、前記可動羽根へ流体を案内する案内部材と、前記可動羽根の湾曲面の前記可動羽根が開状態の時に流体が通過する側の端部に配設され、流体の搬送方向側に凸に湾曲した湾曲面部を有し、流体を前記可動羽根の下流側に広げ、渦の発生を抑制する誘導体と、を備えることを特徴とする。【選択図】  図４
2015021652.tif 000002
【特許請求の範囲】
【請求項１】
ダクトと接続されて流体の流路を形成するケーシングと、
前記ケーシングに回動自在に配設され、回動することにより前記流路の開度を可変とする可変羽根であって、流体の流入方向側に凸に湾曲した湾曲面部を有する可動羽根と、
前記可動羽根へ流体を案内する案内部材と、
前記可動羽根の湾曲面の前記可動羽根が開状態の時に流体が通過する側の端部に配設され、流体の搬送方向側に凸に湾曲した湾曲面部を有し、流体を前記可動羽根の下流側に広げ、渦の発生を抑制する誘導体と、
を備えることを特徴とする流量制御ダンパ。
【請求項２】
ダクトと接続されて流体の流路を形成するケーシングと、
前記ケーシングに回動自在に配設され、回動することにより前記流路の開度を可変とする可動羽根であって、流体の流入方向側に凸に湾曲した湾曲面部を有する可動羽根と、
前記可動羽根へ流体を案内する案内部材と、
前記可動羽根の湾曲面の前記可動羽根が開状態の時に流体が通過する側の端部に配設され、前記可動羽根の湾曲面とは逆側に凸に湾曲した湾曲面部を有し、流体を前記可動羽根の下流側に広げ、渦の発生を抑制する誘導体と、
を備えることを特徴とする流量制御ダンパ。
【請求項３】
前記可動羽根の湾曲面は円筒または円柱の外周面の一部を形成し、
前記誘導体の湾曲面は前記円筒または円柱よりも小径の円筒または円柱の外周面の一部を形成している、
ことを特徴とする請求項１に記載の流量制御ダンパ。
【発明の詳細な説明】
【技術分野】
【０００１】
この発明は、ダンパ全開時に、流量制御性を向上し、圧力損失を低減した流量制御ダンパに関する。
【背景技術】
【０００２】
空気調和設備のダクトには、風量を調整するためのダンパが配設される。ダンパは、全開、全閉の切替えに使用される平行翼ダンパと、流体の比例制御用に使用される対向翼ダンパが知られている。
【０００３】
平行翼ダンパとしては、例えば、図８に示すようなものがある。この平行翼ダンパ１１０は、主として、ダクト（図示略）に接続されるケーシング２と、可動羽根１３０、１６０と、案内板１４０、１７０と、駆動装置（図示略）とを有している。可動羽根１３０、１６０は、駆動装置の固定軸１９１、１９２を介してケーシング２に回動自在に配設されており、可動羽根１３０と可動羽根１６０は同一方向に回動するようになっている。このように可動羽根１３０、１６０が回動することにより、ダンパの開度が変更自在となっている。
【０００４】
対向翼ダンパとしては、開度と流量との間に線形特性を持たせたものとして、例えば、図９に示すようなものがある。この対向翼ダンパ１０は、主として、ダクト（図示略）に接続されるケーシング２と、可動羽根３、６と、案内板４、７と、駆動装置（図示略）とを有している。可動羽根３、６は、駆動装置の固定軸９１、９２を介してケーシング２に回動自在に配設されており、可動羽根３と可動羽根６が反対方向に回動するようになっている。このように可動羽根３、６が回動することにより、ダンパの開度が変更自在となっている。
【０００５】
また、ダクト本体側の分岐口に分岐ダクトへの区画仕切板となるセパレータを設け、該セパレータを挟んで平行翼ダンパを取付角度を変えて同じ回動軸上に配設したことを特徴とする送風量分配装置に関する技術が知られている（例えば、特許文献１参照。）。また、対向翼ダンパにおいて、弁板の開き始めから開き終わりにいたる全開弁領域においてその開弁角度に対する流体流量の変化特性を略リニアなものとして、ダンパによる流量調節の制御を容易化し、流量の微調整のための制御も行い易くする対向翼ダンパに関する技術が知られている（例えば、特許文献２参照。）。この技術は、平板状の弁板の先端部側に突設した抵抗体が配設されているものである。
【先行技術文献】
【特許文献】
【０００６】
【特許文献１】特公平０５−００６０９７号公報
【特許文献２】特開平０８−２５４３５４号公報
【発明の概要】
【発明が解決しようとする課題】
【０００７】
しかしながら、特許文献１、２に記載の技術はいずれも、ダンパ開状態時（特に、微小開度時）には、可動羽根の下流側において気流が可動羽根から剥離して渦が発生することにより、ダンパ前後の圧力損失が大きくなり、また、発生した渦の成長・減衰による圧力の脈動および騒音が発生するという問題がある。
【０００８】
そこで、この発明は、前記の課題を解決し、流量制御性を向上し、圧力損失を低減する流量制御ダンパを提供することを目的としている。
【課題を解決するための手段】
【０００９】
前記の課題を解決するために、請求項１の発明は、ダクトと接続されて流体の流路を形成するケーシングと、前記ケーシングに回動自在に配設され、回動することにより前記流路の開度を可変とする可変羽根であって、流体の流入方向側に凸に湾曲した湾曲面部を有する可動羽根と、前記可動羽根へ流体を案内する案内部材と、前記可動羽根の湾曲面の前記可動羽根が開状態の時に流体が通過する側の端部に配設され、流体の搬送方向側に凸に湾曲した湾曲面部を有し、流体を前記可動羽根の下流側に広げ、渦の発生を抑制する誘導体と、を備えることを特徴とする流量制御ダンパである。
【００１０】
この発明によれば、可動羽根の湾曲面の可動羽根が開状態の時に流体が通過する側の端部に配設された誘導体によって、流体は可動羽根の下流側に拡散するようになっており、渦の発生が抑制される。
【００１１】
請求項２の発明は、ダクトと接続されて流体の流路を形成するケーシングと、前記ケーシングに回動自在に配設され、回動することにより前記流路の開度を可変とする可動羽根であって、流体の流入方向側に凸に湾曲した湾曲面部を有する可動羽根と、前記可動羽根へ流体を案内する案内部材と、前記可動羽根の湾曲面の前記可動羽根が開状態の時に流体が通過する側の端部に配設され、前記可動羽根の湾曲面とは逆側に凸に湾曲した湾曲面部を有し、流体を前記可動羽根の下流側に広げ、渦の発生を抑制する誘導体と、を備えることを特徴とする流量制御ダンパである。
【００１２】
請求項３の発明は、請求項1に記載の流量制御ダンパにおいて、前記可動羽根の湾曲面は円筒または円柱の外周面の一部を形成し、前記誘導体の湾曲面は前記円筒または円柱よりも小径の円筒または円柱の外周面の一部を形成している、ことを特徴とする。
【発明の効果】
【００１３】
請求項１および請求項２に記載の発明によれば、流体の一部は可動羽根の湾曲面および可動羽根の湾曲面の端部に配設された誘導体に沿って流れるため、可動羽根の下流側において拡散して流れる。すなわち、特にダンパの開度を微小とした場合は、誘導体が配設されていることによるコアンダ効果によって、流路が狭められているために誘導体の外周面や、可動羽根の内周面に吸い寄せられて付着するように流れる。これにより、流体が拡散し、可動羽根の下流側における渦の発生を抑制することができる。また、ダンパの開度を微小にした際に、可動羽根の下流側における気流の乱れを抑制し、圧力の脈動および騒音を低減することができる。
【００１４】
また、案内部材によって、流入した流体を、気流の乱れを抑制してスムーズに可動羽根に案内することができる。
【００１５】
請求項３に記載の発明によれば、誘導体の湾曲面は円筒よりも小径の円筒の外周面の一部を形成していることにより、ダンパ全開時であっても流路を閉塞しないので、流体の搬送が妨げられず、圧力損失が増加しない。すなわち、誘導体を大きくすると、ダンパ全開時に流路に誘導体が流入方向に対して突出することとなり、流体の搬送が妨げられて圧力損失が増加する。また、誘導体を小さくすると、コアンダ効果によって十分な効果を得ることが出来なくなる。
【図面の簡単な説明】
【００１６】
【図１】本発明の実施の形態１に係る対向翼ダンパを示す正面図である。
【図２】図１の対向翼ダンパにおいて開度を全開とした場合の流体の拡散状態を示す側面図である。
【図３】図１の対向翼ダンパにおいて開度を微小とした場合の正面図である。
【図４】図１の対向翼ダンパにおいて開度を微小とした場合の流体の拡散状態を示す側面図である。
【図５】図１の対向翼ダンパの風速ごとのダンパ開度別の圧力損失低減率を示す図である。
【図６】図１の対向翼ダンパの開度３０°において風速ごとの周波数帯別の騒音低減率を示す図である。
【図７】本発明の実施の形態２に係る平行翼ダンパを示す側面図であり、開度を微小とした場合の流体の拡散状態を示す概略図である。
【図８】従来の平行翼ダンパを示す側面図であり、開度を微小とした場合の流体の拡散状態を示す概略図である。
【図９】従来の対向翼ダンパを示す側面図であり、開度を微小とした場合の流体の拡散状態を示す概略図である。
【発明を実施するための形態】
【００１７】
（実施の形態１）
図１ないし図６は、この発明の実施の形態を示している。対向翼ダンパ１は、空気調和設備のダクト（図示略）に接続され、流体の流量を比例制御するものであり、図１、図２に示すように、主として、ケーシング２と、可動羽根３、６と、案内部材としての案内板４、７と、誘導体５、８を有している。案内板４、７は空洞であるが、板体に限らずブロック体で構成してもよい。
【００１８】
ケーシング２は、図１、図２に示すように、ダクトと接続されて流体の流路を形成する角筒状体であり、軸方向の両端部の開口縁にはダクトと接続するためのフランジ部２ａ、２ｂが形成されている。フランジ部２ａ側の開口から流入した流体は、ケーシング２内を通過してフランジ部２ｂ側の開口から流出する。ここで、ケーシング２の開口の幅方向をＸ、高さ方向をＹ、ケーシング２内における流体の通過方向（フランジ部２ａからフランジ部２ｂへ向かう方向）である奥行き方向をＺとする。この実施の形態では、例えば、ケーシング２は、幅が４０５ｍｍ、高さが４０５ｍｍ、奥行きが５００ｍｍに設定されている。
【００１９】
可動羽根３は、ケーシング２に回動自在に配設され、流体の流入方向に湾曲した湾曲面部３１と、その背面側の平面部３４と、側面部３２、３３とを有するものである。湾曲面部３１は、円筒または円柱の一部を切り出した形状となっており、その軸方向がケーシング２の幅方向Ｘに沿って延びるように配設されている。側面部３２、３３は略扇型の平板状に形成され、弧状の外縁部と、湾曲面部３１のＸ方向両端部とが接合されている。湾曲面部３１の背面側には湾曲面部３１の弦部にＸ方向に延びるように平面部３４が配設されている。平面部３４の湾曲面部３１と反対側は空洞状になっており、側面部３２、３３間を流体が通過できるようになっている。側面部３２、３３には、後述する駆動装置９の固定軸９１を挿通するための挿通孔（図示略）が形成されており、固定軸９１の角度によって可動羽根３が回動して開度（本実施形態においては後述の可動羽根６との間の間隙の大きさ）が調節自在となっている。可動羽根３が回動することによって、湾曲面部３１がケーシング２の開口に対して開閉し、ケーシング２の開度が調節自在となる。具体的には、図１、図２に示すように、湾曲面部３１が上方を向いており開口Ｓ１が大きく開いている場合はケーシング２の開度は全開であり、図３、図４に示すように、湾曲面部３１が回動して開口Ｓ２を閉塞するように傾倒している場合はケーシング２の開度は微小である。また、さらに湾曲面部３１の端部３１ａと、可動羽根６の湾曲面６１の端部６１ａとが当接した状態となり、湾曲部３１、６１で完全に開口Ｓ２を完全に閉塞する場合はケーシング２の開度は全閉である。この実施の形態では、例えば、湾曲面部３１は長さが１６０ｍｍと設定されている。また、固定軸９１が湾曲面部３１の曲率中心となるように設定されている。
【００２０】
案内板４は、ケーシング２のフランジ部２ａ側の開口から内周壁上面部２１に沿って流入した流体を可動羽根３へ案内するものであり、図１に示すように、ケーシング２の内周壁上面部２１に幅方向Ｘに沿って延びるように配設されている。案内板４は、可動羽根３が回動した際に、湾曲面部３１と当接するように形状、位置が設定され、可動羽根３と内周壁上面部２１との間の隙間を塞ぐように設けられており、図２に示すように、ケーシング２の内周壁上面部２１から可動羽根３との当接部に向かって緩やかに湾曲した湾曲面部４１を有している。より具体的には、湾曲面部４１の下流側の端部４１ａと湾曲面部３１とが当接する構成となっており、端部４１ａは湾曲面部３１との間の閉塞性を高めるためゴム等の弾性体で形成するか或いは端部４１ａに弾性体の部材を取り付けてもよい。また、可動羽根３が回動する際の抵抗を小さくするために弾性体の表面を、例えばフッ素樹脂等の摺動性の良好な素材でコーティングしてもよい。案内板４によって、ケーシング２の内周壁上面部２１に沿って搬送された流体は、案内板４の湾曲面部４１に沿って奥行き方向Ｚに進み、さらに、可動羽根３に沿って奥行き方向Ｚに進むようになっている。
【００２１】
誘導体５は、図１、図２に示すように、可動羽根３の湾曲面部３１の開状態時における上流側端部３１ａに配設され、湾曲面部３１と対向する方向に凸に湾曲した湾曲面部５１が形成されている。誘導体５は、円筒の一部を切り出した形状となっており、その軸方向が可動羽根３の端部３１ａに沿って、すなわち、幅方向Ｘに沿って延びるように配設されている。誘導体５は、可動羽根３の全長よりも小さく、例えば、湾曲面部５１は湾曲面部３１の約１０〜３０％の大きさの径に設定されている。このような誘導体５は、コアンダ効果によって流体が可動羽根３の下流側に拡散するようになっており、流体の下流側における渦の発生を抑制するものである。この実施の形態では、例えば、湾曲面部５１は半径が３２ｍｍと設定されている。
【００２２】
可動羽根６と、案内板７と、誘導体８は、可動羽根３と、案内板４と、誘導体５とそれぞれ同様に構成されているので対応する符号を付して説明を省略する。可動羽根６は、図２に示すように、可動羽根３と対向するようにケーシング２の下側に配設されており、可動羽根３と対向して回動するようになっている。具体的には、図１、図２に示すように、可動羽根３の湾曲面部３１が上方を向いている場合は、湾曲面部６１が下方を向くようになっている。また、図３、図４に示すように、湾曲面部３１が回動して開口Ｓ２を閉塞するように傾倒している場合は、湾曲面部６１が開口Ｓ２を閉塞するように傾倒するようになっている。
【００２３】
案内板７は、ケーシング２のフランジ部２ａ側の開口から内周壁下面部２２に沿って流入した流体を可動羽根６へ案内するものであり、ケーシング２の内周壁下面部２２に配設されている。
【００２４】
誘導体８は、可動羽根６の湾曲面部６１の開状態時における上流側端部６１ａに配設され、湾曲面部６１と対向する方向に湾曲した湾曲面部８１が形成されている。
【００２５】
本実施形態において、流体は可動羽根３の端部３１ａと可動羽根６の端部６１ａとの間の間隙からのみ通過し、他端側（すなわち、湾曲面部３１ａの内周壁上面部２１側（案内板４側）、湾曲面部６１ａの内周壁下面部２２側（案内板７側））からは前述のように案内板４、７により閉塞され流体が通過しない構成となっており、端部３１ａ、端部６１ａが発明における「開状態の時に流体が通過する側の端部」に該当する。そして、可動羽根３、６を回動させて端部３１ａと端部６１ａとの間の間隙の大きさ（すなわち、開度）を調節することで、流体がケーシング２を通過する流量を調節することができ、誘導体５、８は流体が上記の間隙を通過する際に可動羽根３、６の下流側における渦の発生を抑制する。
【００２６】
駆動装置９は、図１に示すように、ケーシング２の右側面部に配設されているモータであり、主として、固定軸９１、９２と、開度調整つまみ９３とを備える。固定軸９１は、ケーシング２の両側面部の奥行き方向Ｚの中央部、かつ、高さ方向Ｙの上方に挿通されており、固定軸９２は、固定軸９１と対向するようにケーシング２の高さ方向Ｙの下方に挿通されている。固定軸９１、９２は、駆動装置９のモータによって回動自在であり、固定軸９１、９２の角度に対するケーシング２の有効開度が線形特性を有するようになっている。開度調整つまみ９３は、ケーシング２の開度を調節するためのものであり、具体的には、開度調整つまみ９３を所定開度に合わせると、固定軸９１、９２が所定角度回動して可動羽根３、６が対向して回動する。これにより、ケーシング２の開度が調節可能となっている。この実施の形態では、例えば、固定軸９１、９２の配設位置は、ケーシング２の内周壁上面部２１、内周壁下面部２２から１１３ｍｍと設定されている。
【００２７】
次に、このような構成の対向翼ダンパ１の使用方法および作用について説明する。
【００２８】
まず、図１、図２に示すように、ケーシング２の開度が全開とされる場合について説明する。
【００２９】
はじめに、開度調整つまみ９３が「ケーシング２の開度全開」に設定されて、モータによって固定軸９１、９２が所定角度回動することによって、可動羽根３は湾曲面部３１が上方を向き、可動羽根６は湾曲面部６１が下方を向いた状態とされる。これにより、ケーシング２内には、可動羽根３と可動羽根６との間が大きく開口し、開口Ｓ１が形成される。
【００３０】
このとき、ケーシング２内において、内周壁上面部２１に沿って搬送された流体は、案内板４の湾曲面部４１に沿って奥行き方向Ｚに搬送され、可動羽根３の湾曲面部３１ａに沿って誘導され端部３１ａに到達した流体は、さらに、誘導体５の湾曲面部５１に沿って湾曲面部３１の内周面側に拡散される。また、内周壁下面部２２に沿って搬送された流体は、案内板７の湾曲面部７１に沿って奥行き方向Ｚに搬送され、可動羽根６の端部６１ａに到達した流体は、さらに、誘導体８の湾曲面部８１に沿って湾曲面部６１の内周面側に拡散される。
【００３１】
つぎに、図３、図４に示すように、ケーシング２の開度が微小とされる場合について説明する。
【００３２】
はじめに、開度調整つまみ９３が「ケーシング２の開度微小」に設定されて、モータによって固定軸９１、９２が所定角度回動することによって、可動羽根３は湾曲面部３１が回動して開口を閉塞するように傾倒し、可動羽根６は湾曲面部６１が回動して開口を閉塞するように傾倒した状態とされる。これにより、ケーシング２内には、可動羽根３と可動羽根６との間に開口Ｓ２が形成される。
【００３３】
このとき、ケーシング２内において、内周壁上面部２１に沿って搬送された流体は、案内板４の湾曲面部４１に沿って奥行き方向Ｚに搬送され、さらに、可動羽根３に沿って下方に搬送される。そして、可動羽根３の端部３１ａに到達した流体は、誘導体５の湾曲面部５１に沿って湾曲面部３１の内周面側に拡散される。また、内周壁下面部２２に沿って搬送された流体は、案内板７の湾曲面部７１に沿って奥行き方向Ｚに搬送され、さらに、可動羽根６に沿って下方に搬送される。そして、可動羽根６の端部６１ａに到達した流体は、誘導体８の湾曲面部８１に沿って湾曲面部６１の内周面側に拡散される。
【００３４】
ここで、比較例として、図９に示す従来の対向翼ダンパ１０について説明する。対向翼ダンパ１０は、誘導体５、８が配設されていない点でのみ対向翼ダンパ１とは異なる。このため、対向翼ダンパ１と同等の構成については、同一符号又は対応する符号を付することで、その説明を省略する。
【００３５】
ケーシング２の開度が微小の場合は、ケーシング２内において、内周壁上面部２１に沿って搬送された流体は、案内板４の湾曲面部４１に沿って奥行き方向Ｚに進み、さらに、可動羽根３に沿って下方に搬送される。そして、可動羽根３の端部３１ａに到達した流体は、湾曲面部３１の内周面側には拡散されず、奥行き方向Ｚに搬送される。すなわち、可動羽根３の端部３１ａに到達した流体は、誘導体５がないためにコアンダ効果が得られず、開口Ｓ２の中央部付近に集中した状態で奥行き方向Ｚに搬送される。また、特許文献２には平板状の弁板の先端部側に突設した断面円弧状の抵抗体が配設された構成が記載されているが、弁板が平板状であるため弁板から抵抗体へ沿うスムーズな流れが形成されず、弁体下流側の渦の発生は十分に抑制できない。
【００３６】
以上のように、この実施の形態に係る発明によれば、流体の一部は誘導体５、８に沿って流れるため、可動羽根３、６の下流側、すなわち、湾曲面部３１の内周面側、湾曲面部６１の内周面側において拡散して搬送される。すなわち、誘導体５、８が配設されていることによるコアンダ効果によって、特にダンパの開度が微小の場合には流路が狭められているために、誘導体５の湾曲面部５１や誘導体８の湾曲面部８１、可動羽根３の湾曲面部３１の内周面や可動羽根６の湾曲面部６１の内周面に吸い寄せられて付着するように搬送される。これにより、可動羽根３の湾曲面部３１の内周面側や可動羽根６の湾曲面部６１の内周面側に流体が拡散するので、可動羽根３、６の下流側における渦の発生を抑制することができる。これにより、圧力の脈動が低減されるので、可動羽根３、６の下流側における圧力の計測精度が向上する。
【００３７】
また、案内板４、７が緩やかに湾曲した形状に形成されていることによって、流入した流体を、気流の乱れを制御してスムーズに可動羽根３に案内することができる。
【００３８】
さらに、誘導体５、８は、可動羽根３、６よりも小さく、可動羽根３、６の開状態時における上流側端部３１ａ、６１ａに形成されているため、ダンパ全開時であっても誘導体５、８が流路に突出しない。このため、誘導体５、８が、流路を閉塞しないため、流体の搬送が妨げられないので、圧力損失が増加しない。例えば、誘導体５、８を大きくした場合は、ダンパ全開時に誘導体５、８が流路に大きく突出することとなり、流体の搬送が妨げられて圧力損失が増加してしまう。また、誘導体５、８を小さくした場合は、コアンダ効果によって十分な効果を得ることが出来なくなる。このため、誘導体５、８は、可動羽根３、６の全長よりも小さく、約１０〜３０％の大きさの径に設定した場合に、適切な効果が得られる。
【００３９】
図５は、風速を１ｍ／ｓから１０ｍ／ｓまで１ｍ／ｓずつ変えた場合の、ダンパ開度と圧力損失低減効果の関係を図示したものである。この結果より、ダンパ開度が小さい場合は、大きな圧力損失低減効果が得られることが分かる。これにより、ダンパ開度が小さい場合にも圧力損失が低減されるため、流量制御性が向上する。さらに、ダンパ開度が大きい場合は、高風速１０ｍ／ｓの場合に、大きな圧力損失低減効果が得られる、すなわち、送風機動力の低減を図ることができることが分かる。
【００４０】
図６は、ダンパ開度を３０°に設定して風速を変えた場合の、周波数帯と騒音低減効果の関係を図示したものである。この結果より、いずれの風速であっても、各周波数帯において、約２〜１０％の騒音低減効果が得られることが分かる。
【００４１】
（実施の形態２）
図７は、この実施の形態に係る平行翼ダンパ１００を示す図である。この実施の形態では、可動羽根１３０、１６０と、案内板１４０、１７０が、実施の形態１の可動羽根３、６、案内板４、７と異なる。このため、実施の形態１と同等の構成については、同一または対応する符号を付することで、その説明を省略する。
【００４２】
平行翼ダンパ１１０は、ダクト（図示略）に接続されるケーシング２と、可動羽根１３０、１６０と、案内板１４０、１７０と、駆動装置（図示略）とを有している。可動羽根１３０、１６０は、駆動装置の固定軸１９１、１９２を介してケーシング２に回動自在に配設されており、可動羽根１３０と可動羽根１６０は同一方向に回動するようになっている。このように可動羽根１３０、１６０が回動することにより、ダンパの開度、すなわち、本実施の形態においては、可動羽根１３０と案内板１７０との間の間隙の大きさ、可動羽根１６０と内周壁下面部２２との間の間隙の大きさが変更自在となっており、これを調節することで流体がケーシング２を通過する流量を調節する。
【００４３】
誘導体１５０は、可動羽根１３０の湾曲面部１３１の開状態時における上流側端部１３１ａに配設され、誘導体１８０は、可動羽根１６０の湾曲面部１６１の開状態時における上流側端部１６１ａに配設されている。
【００４４】
本実施形態において、流体は可動羽根１３０の端部１３１ａと案内板１７０との間の間隙、および可動羽根１６０の端部１６１ａと内周壁下面部２２との間の間隙からのみ通過し、可動羽根１３０、１６０の他端側（すなわち、湾曲面部１３１の内周壁２１側（案内板１４０側）、湾曲面部１６１の案内板１７０側）からは前述のように案内板１４０、１７０により閉塞され流体が通過しない構成となっており、端部１３１ａ、端部１６１ａが発明における「開状態の時に流体が通過する側の端部」に該当する。そして、可動羽根１３０、１６０を回動させて端部１３１ａと端部１６１ａとの間の間隙の大きさ（すなわち、開度）を調節することで、流体がケーシング２を通過する流量を調節することができ、誘導体１５０、１８０は流体が上記の間隙を通過する際に可動羽根１３０、１６０の下流側における渦の発生を抑制する。
【００４５】
そして、開度調整つまみ９３が「ケーシング２の開度全開」に設定された場合は、モータによって固定軸９１、９２が所定角度回動することによって、可動羽根１３０、１６０は湾曲面部３１が上方を向いた状態とされる。また、開度調整つまみ９３が「ケーシング２の開度微小」に設定された場合は、モータによって固定軸９１、９２が所定角度回動することによって、可動羽根１３０、１６０は湾曲面部１３１、１６１が回動して開口を閉塞するように傾倒した状態とされる。
【００４６】
このような誘導体１５０、１８０が配設されていることにより、コアンダ効果によって流体が可動羽根１３０、１６０の下流側に拡散するようになっており、流体の下流側における渦の発生を抑制することができる。また、ダンパの開度を微小にした際に、可動羽根１３０、１６０の下流側における気流の乱れを抑制し、圧力の脈動および騒音を低減することができる。具体的には、ケーシング２内において、内周壁上面部２１に沿って搬送された流体は、案内板１４０の湾曲面部に沿って奥行き方向Ｚに搬送され、さらに、可動羽根１３０に沿って下方に搬送される。そして、可動羽根１３０の下端部に到達した流体は、誘導体１５０の湾曲面部１５１に沿って湾曲面部１３１の内周面側に拡散される。また、ケーシング２の中央部周辺を搬送された流体は、案内板１７０の湾曲面部に沿って奥行き方向Ｚに搬送され、さらに、可動羽根１６０に沿って下方に搬送される。そして、可動羽根１６０の下端部に到達した流体は、誘導体１８０の湾曲面部１８１に沿って湾曲面部１６１の内周面側に拡散される。
【００４７】
以上、この発明の実施の形態について説明したが、具体的な構成は、上記の実施の形態に限られるものではなく、この発明の要旨を逸脱しない範囲の設計の変更等があっても、この発明に含まれる。例えば、対向翼ダンパ１および平行翼ダンパ１００においては、可動羽根が上下２段で構成されている場合について説明したが、上下３段で構成されるようにしてもよいことはもちろんである。
【符号の説明】
【００４８】
１              対向翼ダンパ
２              ケーシング
３、６          可動羽根
３１、６１      湾曲面部
４、７          案内板（案内部材）
５、８          誘導体
９              駆動装置
９１、９２      固定軸
【図１】
2015021652.tif 000003
【図２】
2015021652.tif 000004
【図３】
2015021652.tif 000005
【図４】
2015021652.tif 000006
【図５】
2015021652.tif 000007
【図６】
2015021652.tif 000008
【図７】
2015021652.tif 000009
【図８】
2015021652.tif 000010
【図９】
2015021652.tif 000011